(57)【要約】【課題】情報表示体に表示された情報を情報読取装置に迅速に読み取らせる。【解決手段】読取補助台３０は、本体部３１と、装置載置部３２と、装置位置制限部３３と、表示体載置部３４と、表示体位置制限部３５とを備える。本体部３１は、装置載置部３２および表示体載置部３４を保持するものである。装置載置部３２は、カメラ付携帯電話２０ａを載置する台である。装置位置制限部３３は、装置載置部３２におけるカメラ付携帯電話２０ａの位置を制限するものである。表示体載置部３４は、識別情報表示体１０を載置するための台である。表示体位置制限部３５は、表示体載置部３４における識別情報表示体１０の位置を制限するものである。カメラレンズ２０ｃと識別情報表示領域１０ａとの間の距離は、識別情報表示領域１０ａに表示された識別情報がカメラ付携帯電話２０ａにより読み取れる距離である。【選択図】      図２
2008217723.tif 000002
【特許請求の範囲】
【請求項１】
ユニークな識別子を含む識別情報が表示された識別情報表示体から前記識別情報を読み取る識別情報読取部と、
前記読み取った識別情報に基づいて前記識別情報を含むデータである識別情報データを生成して送信するデータ送信部と
を備える識別情報読取装置と、
前記識別情報読取装置を載置する装置載置部と、
前記装置載置部における前記識別情報読取装置の位置を制限する装置位置制限部と、
前記識別情報表示体を載置する表示体載置部と、
前記表示体載置部における前記識別情報表示体の位置を制限する表示体位置制限部と、
前記装置載置部および前記表示体載置部を保持する本体部と
を備える読取補助台と、
前記データ送信部より送信された識別情報データを受信するデータ受信部と、
前記受信した識別情報データに基づいて前記識別情報データを受信した旨の情報である受信情報を前記識別子毎に生成する受信情報生成部と、
前記受信情報生成部において識別子毎に生成された受信情報を保持する受信情報保持部と
を備える識別情報管理データベースと
を具備し、
前記表示体位置制限部により位置を制限された前記表示体載置部における前記識別情報表示体の位置は、前記装置載置部において前記装置位置制限部により位置を制限された前記識別情報読取装置から前記識別情報を読み取り可能な範囲にあることを特徴とする識別情報管理システム。
【請求項２】
前記識別情報読取部は、
前記識別情報表示体に表示された識別情報を撮像して画像データ化された識別情報である識別情報画像データを生成する撮像部と、
前記生成された識別情報画像データを解析して前記識別情報画像データより前記識別情報を取得する識別情報取得部と
を備えることを特徴とする請求項１記載の識別情報管理システム。
【請求項３】
前記識別情報は、前記ユニークな識別子に加えて前記識別情報管理データベースに付与されたアドレスをさらに含む情報を表すＱＲコードとして前記識別情報表示体に表示され、
前記識別情報読取装置は、前記ＱＲコードを撮像することにより前記ＱＲコードから前記識別情報を読み取る機能および前記識別情報データを生成して送信する機能を備えたカメラ付携帯電話であり、
前記カメラ付携帯電話は、前記識別情報表示体に表示されたＱＲコードから読み取った前記ユニークな識別子および前記アドレスに基づいて前記識別情報管理データベースに前記識別情報データを送信し、
前記受信情報生成部は、前記受信情報として前記識別情報データを受信した日時を前記ユニークな識別子毎に生成することを特徴とする請求項２記載の識別情報管理システム。
【請求項４】
前記識別情報データは、前記識別情報読取装置に付与されたユニークな装置識別子をさらに含み、
前記識別情報管理データベースは、
少なくとも１つの装置識別子を保持する装置識別子テーブルと、
前記受信した識別情報データに含まれる前記ユニークな装置識別子が前記装置識別子テーブルに含まれるか否かを判別して、前記受信した識別情報データに含まれる前記ユニークな装置識別子が前記装置識別子テーブルに含まれる場合には前記受信情報生成部に前記識別情報データを供給する装置識別子判別部と
をさらに備えることを特徴とする請求項１記載の識別情報管理システム。
【請求項５】
所定の情報が表示された情報表示体および前記情報表示体から前記情報を読み取る情報読取装置を載置する読取補助台であって、
前記情報読取装置を載置する装置載置部と、
前記装置載置部における前記情報読取装置の位置を制限する装置位置制限部と、
前記情報表示体を載置する表示体載置部と、
前記表示体載置部における前記情報表示体の位置を制限する表示体位置制限部と
前記装置載置部および前記表示体載置部を保持する本体部と
を具備し、
前記表示体位置制限部により位置を制限された前記表示体載置部における前記情報表示体の位置は、前記装置載置部において前記装置位置制限部により位置を制限された前記情報読取装置から前記情報を読み取り可能な範囲にあることを特徴とする読取補助台。
【請求項６】
前記本体部は、２つの側板により構成され、
前記装置載置部および表示体載置部は、前記２つの側板によりその両側面を挟み込まれることにより前記本体部に保持され、
前記装置位置制限部は、前記装置載置部における前記情報読取装置を載置する面に設けられ、
前記表示体位置制限部は、前記表示体載置部における前記情報表示体を載置する面に設けられたことを特徴とする請求項５記載の読取補助台。
【請求項７】
前記表示体位置制限部は、
前記情報表示体を上側から抑えつける表示体抑え部と、
前記表示体載置部における前記情報表示体を載置する面に設けられ、前記情報表示体の前記表示体載置部に沿った一方向への移動を制限する表示体ストッパ部と
を備えたことを特徴とする請求項５記載の読取補助台。
【発明の詳細な説明】
【技術分野】
【０００１】
本発明は、情報読取装置により情報表示体から情報を読み取る際に用いられる読取補助台およびその読取補助台を用いた識別情報管理システムに関する。
【背景技術】
【０００２】
近年、ＱＲコードを用いたシステムが多数登場している。ＱＲコードは格納できる情報量が多く、数字だけでなく英字や漢字のデータも格納できるという利点があるためである。また、ＱＲコードを読み込んでＱＲコードから情報を取得することのできるカメラ付携帯電話も登場してきている。このような中、ＱＲコードおよびＱＲコードを読み込んでＱＲコードから情報を取得することのできるカメラ付携帯電話を用いた出退勤管理システムが提案されている（例えば、特許文献１参照。）。
【０００３】
この出退勤管理システムは、複数のＰＣ（personal computer）と、複数のＰＣそれぞれに送信するためのＱＲコードを記憶したサーバと、ＱＲコードを読み込んでＱＲコードから情報を取得することのできるカメラ付携帯電話から構成されている。ＰＣから上記サーバにＱＲコード送信の要求があると、サーバはそのＰＣに対してＩＤおよびパスワードを要求する。ＩＤおよびパスワードをそのＰＣからサーバに送信し、それがサーバに認証されるとそのＰＣにＱＲコードが送信されてＰＣの画面にＱＲコードが表示される。
【０００４】
上記カメラ付携帯電話によりＰＣの画面に表示されたＱＲコードを読み取り、取得した情報をそのカメラ付携帯電話により上記サーバに送信する。そのカメラ付携帯電話から送信された情報を受信した上記サーバはその受信した時刻を出勤、または退社の時刻として管理する。
【特許文献１】特開２００６−２９３９５７号公報（図２）
【発明の開示】
【発明が解決しようとする課題】
【０００５】
上述の従来技術では、ＰＣの画面に表示されたＱＲコードをカメラ付携帯電話で読み込む際に、ＱＲコードを読み込むことができる位置にカメラ付携帯電話を手で移動させる作業が必要になるが、その作業は煩雑である。ＱＲコードを読み込むことができる位置にカメラ付携帯電話を迅速に位置させることができれば、ＱＲコードおよびＱＲコードを読み込んでＱＲコードから情報を取得することのできるカメラ付携帯電話を用いたシステムを円滑に運用することができるため便利である。
【０００６】
以上のことは、ＱＲコードおよびＱＲコードを読み込んでＱＲコードから情報を取得することのできるカメラ付携帯電話を用いたシステムに限らず、所定の情報が表示された情報表示体およびその情報を読み取れる情報読取装置を用いたシステムにも言えることである。
【０００７】
そこで、本発明は、情報表示体に表示された情報を情報読取装置に迅速に読み取らせる読取補助台を提供することを目的とする。また、その読取補助台を用いた識別情報管理システムを提供することをも目的とする。
【課題を解決するための手段】
【０００８】
本発明は、上記課題を解決するためになされたものであり、本発明の識別情報管理システムは、ユニークな識別子を含む識別情報が表示された識別情報表示体から上記識別情報を読み取る識別情報読取部と、上記読み取った識別情報に基づいて上記識別情報を含むデータである識別情報データを生成して送信するデータ送信部とを備える識別情報読取装置と、上記識別情報読取装置を載置する装置載置部と、上記装置載置部における上記識別情報読取装置の位置を制限する装置位置制限部と、上記識別情報表示体を載置する表示体載置部と、上記表示体載置部における上記識別情報表示体の位置を制限する表示体位置制限部と、上記装置載置部および上記表示体載置部を保持する本体部とを備える読取補助台と、上記データ送信部より送信された識別情報データを受信するデータ受信部と、上記受信した識別情報データに基づいて上記識別情報データを受信した旨の情報である受信情報を上記識別子毎に生成する受信情報生成部と、上記受信情報生成部において識別子毎に生成された受信情報を保持する受信情報保持部とを備える識別情報管理データベースとを具備し、上記表示体位置制限部により位置を制限された上記表示体載置部における上記識別情報表示体の位置は、上記装置載置部において上記装置位置制限部により位置を制限された上記識別情報読取装置から上記識別情報を読み取り可能な範囲にあることを特徴とするものである。これにより、識別情報表示体に表示された識別情報を識別情報読取装置に迅速に読み取らせることができるため、識別情報管理システムを円滑に運用させるという作用をもたらす。
【０００９】
また、本発明の識別情報管理システムにおいて、上記識別情報読取部は、上記識別情報表示体に表示された識別情報を撮像して画像データ化された識別情報である識別情報画像データを生成する撮像部と、上記生成された識別情報画像データを解析して上記識別情報画像データより上記識別情報を取得する識別情報取得部とを備えることを特徴とする。これにより、識別情報表示体に表示された識別情報を画像データ化した後に識別情報を取得させるという作用をもたらす。
【００１０】
また、本発明の識別情報管理システムにおいて、上記識別情報は、上記ユニークな識別子および上記識別情報管理データベースに付与されたアドレスを少なくとも含む情報を表すＱＲコードとして上記識別情報表示体に表示され、上記識別情報読取装置は、上記ＱＲコードを撮像することにより上記ＱＲコードから上記識別情報を読み取る機能および上記識別情報データを生成して送信する機能を備えたカメラ付携帯電話であり、上記カメラ付携帯電話は、上記識別情報表示体に表示されたＱＲコードから読み取った上記ユニークな識別子および上記アドレスに基づいて上記識別情報管理データベースに上記識別情報データを送信し、上記受信情報生成部は、上記受信情報として上記識別情報データを受信した日時を上記ユニークな識別子毎に生成することを特徴とする。これにより、識別情報読取装置として、ＱＲコードを読み込んでそのＱＲコードから情報を取得することのできるカメラ付携帯電話を採用して識別情報管理システムを運用させるという作用をもたらす。識別情報読取装置として、ＱＲコードを読み込んでそのＱＲコードから情報を取得することのできるカメラ付携帯電話を採用すれば、ＱＲコードを読み込んでそのＱＲコードから情報を取得することのできるカメラ付携帯電話は安価で入手が容易であるため、識別情報管理システムの導入の際のコストを低減することが可能となる。
【００１１】
また、本発明の識別情報管理システムにおいて、上記識別情報データは、上記識別情報読取装置に付与されたユニークな装置識別子をさらに含み、上記識別情報管理データベースは、少なくとも１つの装置識別子を保持する装置識別子テーブルと、上記受信した識別情報データに含まれる上記ユニークな装置識別子が上記装置識別子テーブルに含まれるか否かを判別して、上記受信した識別情報データに含まれる上記ユニークな装置識別子が上記装置識別子テーブルに含まれる場合には上記受信情報生成部に上記識別情報データを供給する装置識別子判別部とをさらに備えることを特徴とする。これにより、識別情報管理データベースに許可された識別情報読取装置から送信された識別情報データのみを識別情報管理データベースに処理させるという作用をもたらす。以上の構成により、不正に送信された識別情報データを排除することができるため、識別情報管理システムの安全な運用に資する。
【００１２】
また、本発明の読取補助台は、所定の情報が表示された情報表示体および上記情報表示体から上記情報を読み取る情報読取装置を載置する読取補助台であって、上記情報読取装置を載置する装置載置部と、上記装置載置部における上記情報読取装置の位置を制限する装置位置制限部と、上記情報表示体を載置する表示体載置部と、上記表示体載置部における上記情報表示体の位置を制限する表示体位置制限部と上記装置載置部および上記表示体載置部を保持する本体部とを具備し、上記表示体位置制限部により位置を制限された上記表示体載置部における上記情報表示体の位置は、上記装置載置部において上記装置位置制限部により位置を制限された上記情報読取装置から上記情報を読み取り可能な範囲にあることを特徴とするものである。これにより、情報表示体に表示された情報を情報読取装置に迅速に読み取らせるという作用をもたらす。
【００１３】
また、本発明の読取補助台において、上記本体部は、２つの側板により構成され、上記装置載置部および表示体載置部は、上記２つの側板によりその両側面を挟み込まれることにより上記本体部に保持され、上記装置位置制限部は、上記装置載置部における上記情報読取装置を載置する面に設けられ、上記表示体位置制限部は、上記表示体載置部における上記情報表示体を載置する面に設けられたことを特徴とする。これにより、情報表示体に表示された情報を情報読取装置に迅速に読み取らせるという作用をもたらす。
【００１４】
また、本発明の読取補助台において、上記表示体位置制限部は、上記情報表示体を上側から抑えつける表示体抑え部と、上記表示体載置部における上記情報表示体を載置する面に設けられ、上記情報表示体の上記表示体載置部に沿った一方向への移動を制限する表示体ストッパ部とを備えたことを特徴とする。これにより、情報表示体を強固に固定させるという作用をもたらす。
【００１５】
また、本発明の読取補助台において、上記本体部の所定の位置に上記情報表示体の表面を照らす光を供給する光供給部を設けたことを特徴とする。これにより、光が少ない場所であっても情報表示体に表示された情報を情報読取装置に迅速に読み取らせるという作用をもたらす。
【発明の効果】
【００１６】
本発明によれば、情報表示体に表示された情報を情報読取装置に迅速に読み取らせることができるという優れた効果を奏し得る。
【発明を実施するための最良の形態】
【００１７】
次に本発明の実施の形態について図面を参照して詳細に説明する。
【００１８】
図１は、本発明の実施の形態における識別情報管理システム１００の一例を示す図である。識別情報管理システム１００は、識別情報表示体１０と、識別情報読取装置２０と、読取補助台３０と、ネットワーク網４０と、識別情報管理データベース５０とを備える。
【００１９】
識別情報表示体１０は、ユニークな識別子を含む識別情報が表示された表示体である。上記識別情報表示体１０に表示されたユニークな識別子は、例えば本発明の識別情報管理システム１００を利用する利用者ＩＤとして取り扱うことが想定されるが、これに限るものではない。
【００２０】
また、識別情報表示体１０として、例えば識別情報をＱＲコードに変換して、そのＱＲコードを表示したカードが想定されるがこれに限るものではない。なお、本発明においてＱＲコードとは、白と黒の格子状のパターンで情報を表すマトリックス型二次元コードを言うものとする。
【００２１】
識別情報読取装置２０は、識別情報表示体１０から識別情報を読み取るものである。また、識別情報読取装置２０は、読み取った識別情報を含むデータ（以下、識別情報データと呼ぶ。）を生成して識別情報管理データベース５０へネットワーク網４０を介して送信する機能をも有する。そして、識別情報読取装置２０におけるデータ送信は、無線方式および有線方式のいずれであってもよい。
【００２２】
以上のように識別情報管理システム１００において識別情報読取装置２０から識別情報管理データベース５０へ識別情報データを送信するという構成上、ユニークな識別子を含む識別情報に、さらに識別情報管理データベース５０のアドレスを含ませることが想定される。この場合、識別情報読取装置２０は、読み取った識別情報に含まれる識別情報管理データベース５０のアドレスを宛先として識別情報データをネットワーク網４０上に送信する。なお、識別情報に識別情報管理データベース５０のアドレスを含ませない構成であってもよい。この場合、識別情報読取装置２０に識別情報管理データベース５０のアドレスを記憶させておくことになる。
【００２３】
識別情報読取装置２０としては、例えばＱＲコードを撮像することによりそのＱＲコードから情報を読み取って情報を取得する機能（以下、ＱＲコード読取機能と呼ぶ。）、およびその読み取った情報を含む情報データを生成して送信する機能（以下、データ通信機能と呼ぶ。）を備えたカメラ付携帯電話が想定されるが、これに限るものではない。識別情報読取装置２０として上記ＱＲコード読取機能、およびデータ通信機能を備えたカメラ付携帯電話を用いれば、現在存在する安価な装置により識別情報管理システム１００の一部を構成することができるため、識別情報管理システム１００を導入する際のコストを低減することができる。
【００２４】
読取補助台３０は、識別情報表示体１０および識別情報読取装置２０をそれぞれ載置するための台である。読取補助台３０の所定の位置に載置した識別情報表示体１０は、読取補助台３０の所定の位置に載置した識別情報読取装置２０から読み取り可能な位置に位置する。
【００２５】
読取補助台３０を用いることにより、識別情報表示体１０および識別情報読取装置２０をそれぞれ読取補助台３０に載置するだけで、識別情報読取装置２０は識別情報表示体１０から容易に識別情報を読み取ることができる。
【００２６】
ネットワーク網４０は、例えばインターネット網が想定されるが、これに限るものではない。すなわち、ネットワーク網４０は、識別情報管理システム１００において識別情報読取装置２０と識別情報管理データベース５０との間でデータの通信を可能とする全てのネットワーク網を含む。
【００２７】
識別情報管理データベース５０は、識別情報読取装置２０から送信された識別情報データを受信して、例えば識別情報に含まれるユニークな識別子毎に識別情報データを受信した旨の情報（以下、受信情報と呼ぶ。）を生成して保持するものである。識別情報管理データベース５０において保持されるユニークな識別子毎の受信情報として、例えばある識別子を含んだ識別情報データを受信した日時が想定されるが、これに限るものではない。
【００２８】
図２は、本発明の実施の形態における読取補助台３０の一例を示す図である。読取補助台３０は、本体部３１と、装置載置部３２と、装置位置制限部３３と、表示体載置部３４と、表示体位置制限部３５とを備える。
【００２９】
本体部３１は、装置載置部３２および表示体載置部３４を保持するものである。本体部３１は側板３１ａおよび３１ｂの２つの側板により構成され、装置載置部３２および表示体載置部３４の両側面を側板３１ａおよび３１ｂにより挟み込んで装置載置部３２および表示体載置部３４を保持している。なお、本体部３１を構成する側板３１ａおよび３１ｂの形状は、図２（ａ）において三角形状になっているが、これに限るものではない。
【００３０】
装置載置部３２は、識別情報読取装置２０を載置する台である。装置載置部３２は、図２（ａ）に示すような板形状とすることが想定されるが、これに限るものではない。本発明における識別情報読取装置２０として、ＱＲコード読取機能およびデータ通信機能を備えたカメラ付携帯電話２０ａを採用した場合、そのカメラ付携帯電話２０ａは、図２（ｂ）に示すような態様で装置載置部３２に載置する。なお、図２において識別情報読取装置２０として、カメラ付携帯電話２０ａを採用したものとして以下説明する。
【００３１】
本発明における識別情報読取装置２０として上記説明したようなカメラ付携帯電話２０ａを採用した場合、カメラ付携帯電話２０ａにおける表示部２０ｂが、図２（ｂ）の矢印Ｃに示す斜め上方を向くようにカメラ付携帯電話２０ａを位置させるようにした方が好ましい。このようにすれば、カメラ付携帯電話２０ａにおける表示部２０ｂが見易くなる。
【００３２】
この場合、本体部３１を構成する側板３１ａおよび３１ｂの形状を三角形状にして、例えば図２（ａ）に示すように側板３１ａおよび３１ｂの一辺に平行に装置載置部３２の側面を側板３１ａおよび３１ｂで挟み込む。これにより、カメラ付携帯電話２０ａを装置載置部３２に載置した際にカメラ付携帯電話２０ａにおける表示部２０ｂは図２（ｂ）の矢印Ｃに示す斜め上方を向く。
【００３３】
また、本発明における識別情報読取装置２０として上記説明したようなカメラ付携帯電話２０ａを採用した場合、カメラ付携帯電話２０ａにおけるカメラレンズ２０ｃの前面が装置載置部３２に遮られないようにする必要がある。この場合、図２（ａ）に示すように装置載置部３２におけるカメラレンズ２０ｃに対応する部分付近をカットしてカメラレンズ非遮断部３２ａを設ける。
【００３４】
装置位置制限部３３は、装置載置部３２におけるカメラ付携帯電話２０ａの位置を制限するものである。装置載置部３２におけるカメラ付携帯電話２０ａの位置の制限としては、カメラ付携帯電話２０ａの装置載置部３２に沿った一方向（矢印Ｄ方向）への動きの制限が想定される。この場合、装置載置部３２にカメラ付携帯電話２０ａを載置すると、カメラ付携帯電話２０ａの一部が装置位置制限部３３と接して図２（ｂ）に示した矢印Ｄ方向へのカメラ付携帯電話２０ａの動きが制限されて、カメラ付携帯電話２０ａの位置が固定される。
【００３５】
装置位置制限部３３は、例えば図２に示すように直方体形状の一部を半円柱形状に削り取った形状をしているが、これに限るものではない。そして、装置位置制限部３３は、装置載置部３２のカメラ付携帯電話２０ａを載置する面に設けられており、装置位置制限部３３の底面は装置載置部３２の表面と接しており、装置位置制限部３３の側面は側板３１ａおよび３１ｂに接している。
【００３６】
なお、装置位置制限部３３は装置載置部３２の表面に沿って、図２（ａ）に示す矢印Ａまたは矢印Ｂの方向に移動させて固定することができる構造になっている。装置載置部３２に載置する識別情報読取装置２０として、カメラ付携帯電話２０ａを採用した場合、携帯電話製造メーカー毎にカメラレンズの位置が異なることがあるが、装置位置制限部３３の位置を調整することによりカメラレンズ２０ｃの位置がカメラレンズ非遮断部３２ａに位置するように調整することが可能となる。
【００３７】
表示体載置部３４は、識別情報表示体１０を載置するための台である。表示体載置部３４は、図２（ａ）に示すような板形状とすることが想定されるが、これに限るものではない。表示体載置部３４は、その側面が本体部３１を構成する側板３１ａおよび３１ｂに挟まれて保持される。
【００３８】
表示体位置制限部３５は、表示体載置部３４における識別情報表示体１０の位置を制限するものであり、表示体載置部３４の識別情報表示体１０を載置する面に設けられている。そして、表示体位置制限部３５は、表示体抑え部３５ａと、表示体ストッパ部３５ｂとを備える。
【００３９】
表示体抑え部３５ａは、識別情報表示体１０を上側から抑えるものである。表示体抑え部３５ａは、識別情報表示体１０における表示体載置部３４の表面より上方への動きを制限している。表示体ストッパ部３５ｂは、表示体載置部３４の識別情報表示体１０を載置する面に設けられており、識別情報表示体１０の表示体載置部３４に沿った一方向（矢印Ｅ方向）への動きを制限するものである。この場合、表示体載置部３４に識別情報表示体１０を載置すると、識別情報表示体１０の一部が表示体ストッパ部３５ｂと接して図２（ｂ）に示した矢印Ｅ方向への識別情報表示体１０の動きが制限されて、識別情報表示体１０の位置が固定される。
【００４０】
識別情報表示体１０の位置を表示体位置制限部３５により制限すると、識別情報表示体１０において識別情報が表示された領域である識別情報表示領域１０ａがカメラ付携帯電話２０ａにより読み取り可能な位置になる。
【００４１】
図３は、本発明の実施の形態における識別情報表示体１０および識別情報読取装置２０を載置した読取補助台３０の側面図である。なお、図３においては識別情報読取装置２０として、カメラ付携帯電話２０ａを採用したものとして説明する。
【００４２】
装置載置部３２に載置され、装置位置制限部３３により位置を制限されたカメラ付携帯電話２０ａのカメラレンズ２０ｃの表面略直角方向へ向かって所定距離離れた位置に、表示体載置部３４において表示体位置制限部３５により位置を制限された識別情報表示体１０における識別情報表示領域１０ａが位置する。
【００４３】
カメラレンズ２０ｃと識別情報表示領域１０ａとの間の所定距離は、識別情報表示領域１０ａに表示された識別情報をカメラ付携帯電話２０ａにより読み取れる距離である。以上のような位置関係になるように読取補助台３０を構成すれば、読取補助台３０に識別情報表示体１０およびカメラ付携帯電話２０ａを載置するだけで、カメラ付携帯電話２０ａは識別情報表示体１０から識別情報を読み取ることができる。
【００４４】
図４は、本発明の実施の形態における読取補助台３０の別の実施の形態を示す図である。なお、図４においては識別情報読取装置２０として、カメラ付携帯電話２０ａを採用したものとして説明する。
【００４５】
カメラ付携帯電話２０ａおよび識別情報表示体１０を読取補助台３０に載置して、識別情報表示体１０に表示された識別情報をカメラ付携帯電話２０ａにおいて読み取る場合、場所によっては識別情報表示体１０の識別情報が表示されている部分に光を供給しないと、識別情報表示体１０に表示された識別情報をカメラ付携帯電話２０ａにより読み取ることが困難なことがある。この場合、識別情報表示体１０の表面、特に識別情報表示領域１０ａを照らす光を供給する光供給部を読取補助台３０に設けるとよい。その光供給部の一例として本発明における読取補助台３０の別の実施の形態を以下において説明する。
【００４６】
図４（ａ）は、読取補助台３０に光取入孔３６を設けた読取補助台３０ａを示す図である。光取入孔３６は外から光を取り入れる孔であり、例えば識別情報表示体１０が載置される位置付近、特に識別情報表示領域１０ａ付近に位置する側板３１ａまたは３１ｂの一部に孔を設けることによりできる。光取入孔３６を別途設けることにより、識別情報表示体１０に表示された識別情報をカメラ付携帯電話２０ａが読み取り易くなる。
【００４７】
図４（ｂ）は、読取補助台３０に照明３７を備えた読取補助台３０ｂを示す図である。照明３７は、識別情報表示領域１０ａに光を供給することができる位置に設ける。照明３７を設ける位置として、例えば識別情報表示領域１０ａ付近に位置する側板３１ａおよび３１ｂの所定の位置が想定されるが、これに限るものではない。
【００４８】
読取補助台３０に照明３７を備え付けることによって、光が十分に得られない場所においてもカメラ付携帯電話２０ａで識別情報表示体１０から識別情報を読み取ることができる。
【００４９】
図５は、本発明の実施の形態における識別情報読取装置２０の機能の一例を示す図である。識別情報読取装置２０は、上記説明したように識別情報表示体１０から識別情報を読み取るものであり、図５（ａ）に示すように識別情報読取部２１と、データ送受信部２４とを備える。
【００５０】
識別情報読取部２１は、実際に識別情報表示体１０から識別情報を読み取るものであり、撮像部２２と、識別情報取得部２３とを備える。撮像部２２は、識別情報表示体１０に表示された識別情報を撮像して画像データ化された識別情報である識別情報画像データを生成するものである。
【００５１】
識別情報取得部２３は、撮像部２２において生成された識別情報画像データを解析して識別情報画像データより識別情報を取得するものである。データ送受信部２４は、識別情報取得部２３において取得された識別情報に基づいて識別情報データを生成して送信するものである。また、データ送受信部２４は送信されてきたデータに含まれる宛先アドレスを参照して自身に対して送信されてきたデータを受信する。
【００５２】
なお、識別情報データの送受信は、無線方式であっても有線方式であっても良い。識別情報データの送信として無線方式を採用した場合、データ送受信部２４において識別情報データに対して変調等の処理を行い、アンテナ２５から識別情報データが送信される。識別情報データの送信として有線方式を採用した場合、データ送受信部２４に接続されたケーブル２６から識別情報データが送信される。
【００５３】
また、データの受信として無線方式を採用した場合、アンテナ２５からデータを受信してデータ送受信部２４において受信したデータに対して復調等の処理を行う。データの受信として有線方式を採用した場合、データ送受信部２４に接続されたケーブル２６から識別情報データが受信される。
【００５４】
図５（ｂ）は、識別情報データ２００の構成の一例を示すものである。識別情報データ２００は、送信元アドレス２１０と、宛先アドレス２２０と、識別子２３０と、装置識別子２４０とを少なくとも備える。
【００５５】
送信元アドレス２１０には、識別情報読取装置２０に付与されたアドレスが入ることになる。宛先アドレス２２０には、識別情報管理データベース５０のアドレスが入ることになる。識別子２３０は、識別情報表示体１０に表示された識別情報に含まれている識別子である。装置識別子２４０は、識別情報読取装置２０に付与されたユニークな識別子である。装置識別子２４０としては、例えばＭＡＣアドレス（Media Access Control address）が想定されるがこれに限るものではなく、その他の識別情報読取装置２０に付与されたユニークな識別子であってもよい。
【００５６】
識別情報表示体１０に表示された識別情報として、ユニークな識別子の他に識別情報管理データベース５０のアドレスが含まれると想定した場合、宛先アドレス２２０に入る識別情報管理データベース５０のアドレスは、識別情報表示体１０に表示された識別情報から得られることになる。
【００５７】
図６は、本発明の実施の形態における識別情報管理データベース５０の機能の一例を示す図である。識別情報管理データベース５０は、データ送受信部５１と、装置識別子テーブル５２と、装置識別子判別部５３と、受信情報生成部５４と、受信情報保持部５５とを備える。
【００５８】
データ送受信部５１は、ネットワーク網４０を介して識別情報読取装置２０から送信されてきた識別情報データに含まれる宛先アドレスを参照して自身に対して送信されてきた識別情報データを受信するものである。また、データ送受信部５１は、データの送信も行う。受信した識別情報データは、装置識別子判別部５３に供給される。なお、識別情報データの受信に際しては、無線方式であっても有線方式であってもよい。
【００５９】
識別情報データの受信として無線方式を採用した場合、アンテナ５６から識別情報データを受信して、データ送受信部５１において識別情報データに対して復調等の処理が行われる。識別情報データの受信として有線方式を採用した場合、ケーブル５７から識別情報データが受信される。
【００６０】
データの送信として無線方式を採用した場合、データ送受信部５１において識別情報データに対して変調等の処理を行い、アンテナ５６からデータが送信される。データの送信として有線方式を採用した場合、データ送受信部５１に接続されたケーブル５７からデータが送信される。
【００６１】
装置識別子テーブル５２は、識別情報読取装置２０に付与されたユニークな装置識別子を保持するテーブルである。そして、この装置識別子テーブル５２には、予め識別情報管理データベース５０に対して識別情報データを送信することを許可された識別情報読取装置２０の装置識別子が登録される。
【００６２】
装置識別子判別部５３は、データ送受信部５１から供給された識別情報データに含まれる装置識別子が装置識別子テーブル５２に含まれているか否かを判別するものである。データ送受信部５１から供給された識別情報データに含まれる装置識別子が装置識別子テーブル５２に含まれている場合、装置識別子判別部５３は識別情報データを受信情報生成部５４に供給する。
【００６３】
一方、データ送受信部５１から供給された識別情報データに含まれる装置識別子が装置識別子テーブル５２に含まれていない場合、装置識別子判別部５３は識別情報データを破棄する。また、データ送受信部５１から供給された識別情報データに含まれる装置識別子が装置識別子テーブル５２に含まれていない場合、装置識別子判別部５３が宛先アドレスを識別情報データに含まれる送信元アドレスとした「その識別情報読取装置２０からの識別情報データの送信は許可されていない」旨のメッセージを生成するようにしてもよい。この場合、そのメッセージはデータ送受信部５１から送信される。これにより、不正に送信された識別情報データを排除することができる。
【００６４】
受信情報生成部５４は、装置識別子判別部５３から供給された識別情報データに基づいて受信情報を識別情報に含まれる識別子毎に生成するものである。なお、受信情報生成部５４において生成される識別子毎の受信情報としては、例えばその識別子が含まれる識別情報を受信した日時が想定されるが、これに限るものではない。受信情報保持部５５は、受信情報生成部５４において生成された識別子毎の受信情報を保持するものである。
【００６５】
図７は、本発明の実施の形態における識別情報管理データベース５０中の受信情報保持部５５において保持されている受信情報の構成の一例を示す図である。受信情報保持部５５において受信情報５５２は、識別子５５１毎に保持される。図７において受信情報５５２は、ある識別子が含まれている識別情報データを識別情報管理データベース５０において受信した日時として表されている。
【００６６】
図７において識別子５５１の一例として、「ＵＳＥＲ１」と「ＵＳＥＲ２」が示してある。受信情報５５２の下に示されている「１，２・・・」の数字は、ある識別子を含む識別情報データを受信した順番である。例えば、識別子「ＵＳＥＲ１」が含まれる識別情報データを初めて受信した日時は、「２００８年３月１０日１５時１６分４６秒」である。そして、識別子「ＵＳＥＲ１」が含まれる識別情報データを２番目に受信した日時は、「２００８年３月１１日１０時２５分３０秒」である。
【００６７】
以上説明した識別情報管理システム１００を用いれば、勤怠管理システムやポイント計数システム等を容易に構築できる。勤怠管理システムにおいては、まず識別情報表示体１０を従業員に勤怠証として配布する。この識別情報表示体１０には、ＱＲコード化した従業員１人１人に別個に割り当てられた識別子および識別情報管理データベース５０のアドレスが印刷されている。
【００６８】
従業員は、出勤時と退社時にカメラ付携帯電話２０ａが載置された読取補助台３０に識別情報表示体１０を載置する。読取補助台３０に識別情報表示体１０を載置した後にカメラ付携帯電話２０ａにより識別情報表示体１０に表示されたＱＲコードを撮像して、カメラ付携帯電話２０ａにそのＱＲコードから識別子および識別情報管理データベース５０のアドレスを読み取らせる。
【００６９】
カメラ付携帯電話２０ａは、ＱＲコードから識別子および識別情報管理データベース５０のアドレスを読み取ると、識別情報管理データベース５０宛に識別子を含めた識別情報データを送信する。識別情報管理データベース５０は識別情報データを受信すると、識別情報データを受信した日時をその識別情報データに含まれる識別子に対応する受信情報として記録する。この受信情報により従業員の出勤した日時および退社した日時を把握することができる。
【００７０】
ポイント計数システムについては、例えば所定のサービスの利用者に対して識別情報表示体１０をポイントカードとして配布する。この識別情報表示体１０には、ＱＲコード化した利用者１人１人に別個に割り当てられた識別子および識別情報管理データベース５０のアドレスが印刷されている。
【００７１】
利用者は、所定のサービスの利用の際にポイントカードとして識別情報表示体１０を読取補助台３０に載置する。その後の処理は、上記説明した勤怠管理システムと同様なため、説明を省略する。識別情報管理データベース５０において生成され保持された受信情報により利用者のポイントを把握することができる。
【００７２】
このように、本発明の実施の形態によれば、識別情報読取装置２０および識別情報表示体１０を読取補助台３０に載置するだけで、識別情報表示体１０に表示された識別情報を容易に読み取ることができる。また、上記読取補助台３０を識別情報管理システム１００に用いることにより、識別情報管理システム１００を円滑に運用することができる。
【００７３】
なお、本発明の実施の形態では、読取補助台３０を識別情報表示体１０および識別情報読取装置２０に適用した場合について説明したがこれに限るものではなく、所定の情報が表示された情報表示体およびその情報表示体から所定の情報を読み取る情報読取装置を読取補助台３０に載置して用いる場合にも適用することができる。所定の情報が表示された情報表示体として例えば名刺が想定され、その情報表示体から所定の情報を読み取る情報読取装置としては、名刺の情報を撮像して画像データ化するカメラ付携帯電話が想定される。
【００７４】
なお、本発明の実施の形態は本発明を具現化するための一例を示したものであり、これに限定されるものではなく本発明の要旨を逸脱しない範囲において種々の変形を施すことができる。
【産業上の利用可能性】
【００７５】
本発明の活用例として、上記説明したように、例えば勤怠管理システムやポイント計数システムを構築する際に本発明を適用することができる。
【図面の簡単な説明】
【００７６】
【図１】本発明の実施の形態における識別情報管理システム１００の一例を示す図である。
【図２】本発明の実施の形態における読取補助台３０の一例を示す図である。
【図３】本発明の実施の形態における識別情報表示体１０および識別情報読取装置２０を載置した読取補助台３０の側面図である。
【図４】本発明の実施の形態における読取補助台３０の別の実施の形態を示す図である。
【図５】本発明の実施の形態における識別情報読取装置２０の機能の一例を示す図である。
【図６】本発明の実施の形態における識別情報管理データベース５０の機能の一例を示す図である。
【図７】本発明の実施の形態における識別情報管理データベース５０中の受信情報保持部５５において保持されている受信情報の構成の一例を示す図である。
【符号の説明】
【００７７】
１０  識別情報表示体
１０ａ  識別情報表示領域
２０  識別情報読取装置
２０ａ  カメラ付携帯電話
２０ｂ  表示部
２０ｃ  カメラレンズ
２１  識別情報読取部
２２  撮像部
２３  識別情報取得部
２４、５１  データ送受信部
２５、５６  アンテナ
２６、５７  ケーブル
３０  読取補助台
３０、３０ａ、３０ｂ  読取補助台
３１  本体部
３１ａ、３１ｂ  側板
３２  装置載置部
３２ａ  カメラレンズ非遮断部
３３  装置位置制限部
３４  表示体載置部
３５  表示体位置制限部
３５ａ  表示体抑え部
３５ｂ  表示体ストッパ部
３６  光取入孔
３７  照明
４０  ネットワーク網
５０  識別情報管理データベース
５２  装置識別子テーブル
５３  装置識別子判別部
５４  受信情報生成部
５５  受信情報保持部
１００  識別情報管理システム
【図１】
2008217723.tif 000003
【図２】
2008217723.tif 000004
【図３】
2008217723.tif 000005
【図４】
2008217723.tif 000006
【図５】
2008217723.tif 000007
【図６】
2008217723.tif 000008
【図７】
2008217723.tif 000009